(57)【要約】【課題】複数の発光素子を一列に並べて形成された複数の発光チップが、一列に配設されたプリントヘッドの光量補正方法に関し、白スジ、黒スジの発生がないプリントヘッドの光量補正方法を提供することを課題とする。【解決手段】ＬＥＤチップ（発光チップ）１１の継ぎ目を含む複数のＬＥＤ素子（発光素子）１３のビームプロファイルを求め、ビームプロファイルのピーク間距離から、ＬＥＤチップ１１の継ぎ目でのＬＥＤ素子１３間の距離を求め、求めたＬＥＤ素子１３間の距離と、プリントヘッドの解像度ピッチとを比較して、求めたＬＥＤ素子１３間の距離が解像度ピッチより長い場合は、ＬＥＤチップ１１の継ぎ目の少なくとも一方の側のＬＥＤ素子１３の光量を上げ、ＬＥＤチップ１１間の距離が解像度ピッチより短い場合は、ＬＥＤチップ１１の継ぎ目の少なくとも一方の側のＬＥＤ素子１３の光量を下げる。【選択図】      図１
2004174785.tif 000002
【特許請求の範囲】
【請求項１】
複数の発光素子を一列に並べて形成された複数の発光チップが、一列に配設されたプリントヘッドの光量補正方法において、
前記発光チップの継ぎ目を含む複数の発光素子のビームプロファイルを求め、
該ビームプロファイルのピーク間距離から、前記発光チップの継ぎ目での前記発光素子間の距離を求め、
求めた前記発光素子間の距離と、前記発光プリントヘッドの解像度ピッチとを比較して、
求めた前記発光素子間の距離が前記解像度ピッチより長い場合は、前記発光チップの継ぎ目の少なくとも一方の側の発光素子の光量を上げ、
前記発光チップ間の距離が解像度ピッチより短い場合は、前記発光チップの継ぎ目の少なくとも一方の側の発光素子の光量を下げることを特徴とするプリントヘッドの光量補正方法。
【請求項２】
複数の発光素子を一列に並べて形成された複数の発光チップが、一列に配設された発光プリントヘッドの光量補正方法において、
前記発光チップの継ぎ目を含む複数の発光素子のビームプロファイルを求め、
該ビームプロファイルを所定のレベルでスライスし、スライスした面の重心間距離から、前記発光チップの継ぎ目での前記発光素子間の距離を求め、
求めた前記発光素子間の距離と、前記発光プリントヘッドの解像度ピッチとを比較して、
求めた前記発光素子間の距離が前記解像度ピッチより長い場合は、前記発光チップの継ぎ目の少なくとも一方の側の発光素子の光量を上げ、
前記発光チップ間の距離が解像度ピッチより短い場合は、前記発光チップの継ぎ目の少なくとも一方の側の発光素子の光量を下げることを特徴とするプリントヘッドの光量補正方法。
【請求項３】
求めた前記発光素子間の距離をｄ２（μｍ）、解像度ピッチをｄ１（μｍ）、光量を上げ下げする発光素子の光量変化分をＰ（％）とすると、
ｄ２−ｄ１＝Ｐ
であることを特徴とする請求項１または２記載のプリントヘッドの光量補正方法。
【発明の詳細な説明】
【０００１】
【発明の属する技術分野】
本発明は、複数の発光素子が一列に配設された複数の発光素子チップが、一列に配設されたプリントヘッドの光量補正方法に関する。
【０００２】
【従来の技術】
従来、電子写真プリンタにおいては、表面を一様にかつ均一に帯電させた感光体ドラムを露光して静電潜像を形成し、該静電潜像を現像してトナー像にし、該トナー像を印刷媒体に転写し、定着するようにしている。ところで、前記感光体ドラムを露光する場合、高速で作動させることができ、小型であることから、発光素子としてＬＥＤを用いたＬＥＤプリントヘッドを使用した電子写真プリンタが提供されている。
【０００３】
ここで、図６を用いてＬＥＤプリントヘッド７の説明を行う。図に示すように、ＬＥＤチップ１には、複数のＬＥＤ素子３が一列に並べられている。そして、このＬＥＤチップ１が基板５上に、一列に配設されている。
【０００４】
尚、ＬＥＤ素子３の配設ピッチは、このＬＥＤプリントヘッドが設けられる解像度ピッチと同じ値に設定されている。
【０００５】
しかし、このＬＥＤプリントヘッド７では、設備上の問題などにより、ＬＥＤチップ１内の各ＬＥＤ素子３のピッチ（Ｐ）は精度良く製造できるのに対して、各ＬＥＤチップ１の継ぎ目９におけるＬＥＤ素子３′のピッチ（Ｐ′）は精度が悪い。例えば、ＬＥＤチップ１内の各ＬＥＤ素子３のピッチ（Ｐ）の公差が±１１μｍであるのに対し、ＬＥＤチップ１の継ぎ目９におけるＬＥＤ素子３′のピッチ（Ｐ′）の公差が±１０μｍであるのが現状である。よって、多くの場合、Ｐ＜Ｐ′となっており、白スジが発生する場合が多い。
【０００６】
そこで、ＬＥＤチップ１内の各ＬＥＤ素子３のピッチ（Ｐ）を、ＬＥＤチップ１の継ぎ目９におけるＬＥＤ素子３′のピッチＰ′より狭くして、白スジの発生を防止することが提案されている。
【０００７】
しかしこの提案では、白スジの発生頻度を下げるのが精一杯であり、白スジの発生を完全になくすことはできない。
【０００８】
そこで、ＬＥＤチップ１の継ぎ目９におけるＬＥＤ素子３′に供給する電流を一律に他のＬＥＤ素子３に供給する電流より２〜６％多くし、ＬＥＤチップ１の継ぎ目９におけるＬＥＤ素子３′の光量をあげることが提案されている。
【０００９】
又、ＬＥＤチップ１の継ぎ目のピッチが所定の値以上であれば、ＬＥＤチップ１の継ぎ目９におけるＬＥＤ素子３′に供給する電流を他のＬＥＤ素子３に供給する電流より多くすることも提案されている。例えば、例えば、ＬＥＤチップ１の継ぎ目９におけるＬＥＤ素子３′のピッチ（Ｐ′）が６６μｍ以上、６９μｍ未満の場合は、ＬＥＤチップ１の継ぎ目９におけるＬＥＤ素子３′に供給する電流を他のＬＥＤ素子３に供給する電流より２％多くしてＬＥＤチップ１の継ぎ目９におけるＬＥＤ素子３′の光量をあげ、ピッチ（Ｐ′）が６９μｍ以上の場合は、ＬＥＤチップ１の継ぎ目９におけるＬＥＤ素子３′に供給する電流を他のＬＥＤ素子３に供給する電流より４％多くしてＬＥＤチップ１の継ぎ目９におけるＬＥＤ素子３′の光量をあげることが提案されている（例えば、特開２００１−８０１１１号公報）。
【００１０】
【特許文献１】
特開２００１−８０１１１号公報（第４頁〜第７頁、図１〜図７）
【００１１】
【発明が解決しようとする課題】
しかし、ＬＥＤチップ１の継ぎ目９におけるＬＥＤ素子３′に供給する電流を一律に他のＬＥＤ素子３に供給する電流より多くし、ＬＥＤチップ１の継ぎ目９におけるＬＥＤ素子３′の光量をあげる方法では、次のような問題点がある。
【００１２】
ＬＥＤチップ１内の各ＬＥＤ素子３のピッチ（Ｐ）の公差が±１μｍであるのに対し、ＬＥＤチップ１の継ぎ目９におけるＬＥＤ素子３′のピッチ（Ｐ′）の公差が±１０μｍであるので、必ず白スジが発生するわけではなく、黒スジが発生する場合もある。よって、ＬＥＤチップ１の継ぎ目９におけるＬＥＤ素子３′に供給する電流を他のＬＥＤ素子３に供給する電流より多くし、ＬＥＤチップ１の継ぎ目９におけるＬＥＤ素子３′の光量をあげると、黒スジをより強調する場合もある。
【００１３】
又、ＬＥＤチップ１の継ぎ目のピッチが所定の値以上であれば、ＬＥＤチップ１の継ぎ目９におけるＬＥＤ素子３′に供給する電流を一律に他のＬＥＤ素子３に供給する電流より多くし、ＬＥＤチップ１の継ぎ目９におけるＬＥＤ素子３′の光量をあげる方法では、ＬＥＤチップ１の継ぎ目のピッチしか考慮しておらず、各ＬＥＤ素子３から出射されるビームのプロファイルを考慮していない。よって、ＬＥＤチップ１の継ぎ目９におけるＬＥＤ素子３′のビームプロファイルが他のＬＥＤ素子と大きく異なっている場合は、補正がうまくいかず、白スジ、黒スジが発生する問題点がある。又、ＬＥＤ素子３′に供給する電流を２％、４％の２つの段階でしか変化させないので、補正分解能が大きい。よって、印字パターンによっては、白スジ、黒スジが発生する問題点もある。
【００１４】
本発明は、上記問題点に鑑みてなされたもので、その課題は、白スジ、黒スジの発生がないプリントヘッドの光量補正方法を提供することにある。
【００１５】
【課題を解決するための手段】
上記課題を解決する請求項１記載の発明は、複数の発光素子を一列に並べて形成された複数の発光チップが、一列に配設されたプリントヘッドの光量補正方法において、前記発光チップの継ぎ目を含む複数の発光素子のビームプロファイルを求め、該ビームプロファイルのピーク間距離から、前記発光チップの継ぎ目での前記発光素子間の距離を求め、求めた前記発光素子間の距離と、前記プリントヘッドの解像度ピッチとを比較して、求めた前記発光素子間の距離が前記解像度ピッチより長い場合は、前記発光チップの継ぎ目の少なくとも一方の側の発光素子の光量を上げ、前記発光チップ間の距離が解像度ピッチより短い場合は、前記発光チップの継ぎ目の少なくとも一方の側の発光素子の光量を下げることを特徴とするプリントヘッドの光量補正方法である。
【００１６】
前記発光チップの継ぎ目を含む複数の発光素子のビームプロファイルを用いることにより、発光チップの継ぎ目のピッチで補正を行う場合に比べ、より正確な補正を行うことができる。
【００１７】
又、ビームプロファイルのピーク間距離から、前記発光チップの継ぎ目での前記発光素子間の距離を求め、求めた前記発光素子間の距離と、前記プリントヘッドの解像度ピッチとを比較して、求めた前記発光素子間の距離が前記解像度ピッチより長い場合は、前記発光チップの継ぎ目の少なくとも一方の側の発光素子の光量を上げ、前記発光チップ間の距離が解像度ピッチより短い場合は、前記発光チップの継ぎ目の少なくとも一方の側の発光素子の光量を下げることにより、発光チップの継ぎ目における発光素子に供給する電流を一律に他の発光素子に供給する電流より多くする補正に比べ、発光チップの継ぎ目を含む複数の発光素子の実際のピッチに応じて補正を行うので、より正確な補正を行うことができる。
【００１８】
請求項２記載の発明は、複数の発光素子を一列に並べて形成された複数の発光チップが、一列に配設されたプリントヘッドの光量補正方法において、前記発光チップの継ぎ目を含む複数の発光素子のビームプロファイルを求め、該ビームプロファイルを所定のレベルでスライスし、スライスした面の重心間距離から、前記発光チップの継ぎ目での前記発光素子間の距離を求め、求めた前記発光素子間の距離と、前記プリントヘッドの解像度ピッチとを比較して、求めた前記発光素子間の距離が前記解像度ピッチより長い場合は、前記発光チップの継ぎ目の少なくとも一方の側の発光素子の光量を上げ、前記発光チップ間の距離が解像度ピッチより短い場合は、前記発光チップの継ぎ目の少なくとも一方の側の発光素子の光量を下げることを特徴とするプリントヘッドの光量補正方法である。
【００１９】
前記発光チップの継ぎ目を含む複数の発光素子のビームプロファイルを用いることにより、発光チップの継ぎ目のピッチで補正を行う場合に比べ、より正確な補正を行うことができる。
【００２０】
又、ビームプロファイルを所定のレベルでスライスし、スライスした面の重心間距離から、前記発光チップの継ぎ目での前記発光素子間の距離を求め、求めた前記発光素子間の距離と、前記プリントヘッドの解像度ピッチとを比較して、求めた前記発光素子間の距離が前記解像度ピッチより長い場合は、前記発光チップの継ぎ目の少なくとも一方の側の発光素子の光量を上げ、前記発光チップ間の距離が解像度ピッチより短い場合は、前記発光チップの継ぎ目の少なくとも一方の側の発光素子の光量を下げることにより、発光チップの継ぎ目における発光素子に供給する電流を一律に他の発光素子に供給する電流より多くする補正に比べ、発光チップの継ぎ目を含む複数の発光素子の実際のピッチに応じて補正を行うので、より正確な補正を行うことができる。
【００２１】
請求項３記載の発明は、求めた前記発光素子間の距離をｄ２（μｍ）、解像度ピッチをｄ１（μｍ）、光量を上げ下げする発光素子の光量変化分をＰ（％）とすると、ｄ２−ｄ１＝Ｐであることを特徴とする請求項１または２記載のプリントヘッドの光量補正方法である。
【００２２】
求めた前記発光素子間の距離をｄ２（μｍ）、解像度ピッチをｄ１（μｍ）、光量を上げ下げする発光素子の光量変化分をＰ（％）とすると、ｄ２−ｄ１＝Ｐであることにより、補正分解能を小さくすることができ、印字パターンにかかわらず、白スジ、黒スジが発生しない。
【００２３】
【発明の実施の形態】
次に図面を用いて本発明の実施の形態例を説明する。本実施の形態例では発光素子としてＬＥＤ素子を用いたＬＥＤプリントヘッドで説明を行なう。
【００２４】
最初に、図２を用いて、本実施の形態例のＬＥＤプリントヘッドの構成を説明する。図に示すように、ＬＥＤチップ１１には、複数のＬＥＤ素子１３が一列に並べられている。そして、このＬＥＤチップ１１が基板１５上に、一列に配設され、ＬＥＤアレイ部１９を形成している。
【００２５】
さらに、基板１５上には、後述する制御部、駆動回路、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ：データの書き換えが可能なＲＯＭ）２１が設けられている。
【００２６】
次に、図３を用いて、上記構成のＬＥＤプリントヘッド１７の電気的構成を説明する。２３はＬＥＤアレイ部１９の各ＬＥＤ素子１３を駆動する駆動手段としての駆動回路である。制御部２５は、画像データを取り込み、ＬＥＤ素子１３を駆動する際の補正値が記録されたテーブルとしてのＥＥＰＲＯＭ２１の補正値を参照して、駆動回路を制御するものである。
【００２７】
次に、図１を用いてこのような構成のＬＥＤプリントヘッドの光量を補正する方法を説明する。
【００２８】
最初にＬＥＤチップ１１の継ぎ目を含む複数のＬＥＤ素子１３のビームプロファイルを求める（ステップ１）。例えば、図２に示すように、継ぎ目２９を含むＬＥＤ素子１３をＬＥＤ素子１３ａ、ＬＥＤ素子１３ｂ、ＬＥＤ素子１３ｃ、ＬＥＤ素子１３ｄとする。これらのＬＥＤ素子１３のビームプロファイルを図４に示す。
【００２９】
そして、ＬＥＤチップ１１の継ぎ目を含むＬＥＤ素子１３のビームプロファイルから、ＬＥＤチップ１１の継ぎ目でのＬＥＤ素子１３間の距離（ｄ２（μｍ））を求める（ステップ２）。
【００３０】
本実施の形態例では、図４に示すように、ビームプロファイルのピーク間距離からＬＥＤチップ１１の継ぎ目でのＬＥＤ素子１３間の距離（ｄ２）を求めた。
【００３１】
そして、求めたＬＥＤ素子１３間の距離（ｄ２）と、ＬＥＤプリントヘッドの解像度ピッチ（ｄ１（μｍ）：理論値）とを比較して、設定誤差（Ｔ）未満であれば、光量調整を終了する（ステップ３）。
【００３２】
求めたＬＥＤ素子１３間の距離（ｄ２）が解像度ピッチ（ｄ１）より長い場合は、ＬＥＤチップ１１の継ぎ目の少なくとも一方の側のＬＥＤ素子１３の光量を上げ、ＬＥＤチップ１１間の距離が解像度ピッチ（ｄ１）より短い場合は、ＬＥＤチップ１１の継ぎ目の少なくとも一方の側のＬＥＤ素子１３の光量を下げるような光量補正値を算出する（ステップ４）。
【００３３】
本実施の形態例では、光量を上げ下げするＬＥＤ素子１３の光量変化分をＰ（％）とすると、ｄ２−ｄ１＝Ｐであった。よって、図４に示すビームプロファイルの場合、ＬＥＤ素子１３ｂ、ＬＥＤ素子１３ｃの合計の光量がＰ（％）上がる（または下がる）ようにした。
【００３４】
この補正値をＥＥＰＲＯＭ２１に書き込み（ステップ５）、光量調整を終了する。
【００３５】
このような調整方法によれば、以下のような効果を得ることができる。
（１）ＬＥＤチップ１１の継ぎ目を含む複数のＬＥＤ素子１３のビームプロファイルを用いることにより、ＬＥＤチップ１１の継ぎ目のピッチで補正を行う場合に比べ、より正確な補正を行うことができる。
（２）ビームプロファイルのピーク間距離から、ＬＥＤチップ１１の継ぎ目でのＬＥＤ素子１３間の距離（ｄ２）を求め、求めたＬＥＤ素子１３間の距離（ｄ２）と、ＬＥＤプリントヘッドの解像度ピッチ（ｄ１）とを比較して、求めたＬＥＤ素子１３間の距離が解像度ピッチより長い場合は、ＬＥＤチップ１１の継ぎ目の少なくとも一方の側のＬＥＤ素子１３の光量を上げ、ＬＥＤチップ１１間の距離が解像度ピッチより短い場合は、ＬＥＤチップ１１の継ぎ目の少なくとも一方の側のＬＥＤ素子１３の光量を下げることにより、ＬＥＤチップ１１の継ぎ目におけるＬＥＤ素子１３に供給する電流を一律に他のＬＥＤ素子１３に供給する電流より多くする補正に比べ、ＬＥＤチップ１１の継ぎ目を含む複数のＬＥＤ素子１３の実際のピッチに応じて補正を行うので、より正確な補正を行うことができる。
（３）求めたＬＥＤ素子１３間の距離をｄ２（μｍ）、解像度ピッチをｄ１（μｍ）、光量を上げ下げするＬＥＤ素子１３の光量変化分をＰ（％）とすると、ｄ２−ｄ１＝Ｐであることにより、補正分解能を小さくすることができ、印字パターンにかかわらず、白スジ、黒スジが発生しない。
【００３６】
尚、本発明は、上記実施の形態例に限定するものではない。上記実施の形態例では、ステップ２で、ＬＥＤチップ１１の継ぎ目を含むＬＥＤ素子１３のビームプロファイルから、ＬＥＤチップ１１の継ぎ目でのＬＥＤ素子１３間の距離（ｄ２（μｍ））を求めたが、図５に示すように、ビームプロファイルを所定のレベル（Ｌ）でスライスし、スライスした面の重心間距離から、ＬＥＤチップの継ぎ目でのＬＥＤ素子間の距離（ｄ２）を求めてもよい。
【００３７】
（付記１）  複数の発光素子を一列に並べて形成された複数の発光チップが、一列に配設されたプリントヘッドの光量補正方法において、
前記発光チップの継ぎ目を含む複数の発光素子のビームプロファイルを求め、該ビームプロファイルのピーク間距離から、前記発光チップの継ぎ目での前記発光素子間の距離を求め、
求めた前記発光素子間の距離と、前記プリントヘッドの解像度ピッチとを比較して、
求めた前記発光素子間の距離が前記解像度ピッチより長い場合は、前記発光チップの継ぎ目の少なくとも一方の側の発光素子の光量を上げ、
前記発光チップ間の距離が解像度ピッチより短い場合は、前記発光チップの継ぎ目の少なくとも一方の側の発光素子の光量を下げることを特徴とするプリントヘッドの光量補正方法。
【００３８】
（付記２）  複数の発光素子を一列に並べて形成された複数の発光チップが、一列に配設されたプリントヘッドの光量補正方法において、
前記発光チップの継ぎ目を含む複数の発光素子のビームプロファイルを求め、
該ビームプロファイルを所定のレベルでスライスし、スライスした面の重心間距離から、前記発光チップの継ぎ目での前記発光素子間の距離を求め、
求めた前記発光素子間の距離と、前記プリントヘッドの解像度ピッチとを比較して、
求めた前記発光素子間の距離が前記解像度ピッチより長い場合は、前記発光チップの継ぎ目の少なくとも一方の側の発光素子の光量を上げ、
前記発光チップ間の距離が解像度ピッチより短い場合は、前記発光チップの継ぎ目の少なくとも一方の側の発光素子の光量を下げることを特徴とするプリントヘッドの光量補正方法。
【００３９】
（付記３）  求めた前記発光素子間の距離をｄ２（μｍ）、解像度ピッチをｄ１（μｍ）、光量を上げ下げする発光素子の光量変化分をＰ（％）とすると、
ｄ２−ｄ１＝Ｐ
であることを特徴とする付記１または２記載のプリントヘッドの光量補正方法。
【００４０】
（付記４）  前記発光素子の光量の上げ、下げは、前記発光素子に流す電流値、前記発光素子の駆動時間のうちの少なくともいずれか一方で行なうことを特徴とする付記１または２記載のプリントヘッドの光量補正方法。
【００４１】
（付記５）  複数の発光素子を一列に並べて形成された発光チップが一列に配設された発光アレイ部と、
前記各発光素子を駆動する駆動手段と、
前記発光素子を駆動する際の補正値が記録されたテーブルと、
該テーブルの前記補正値を参照して、前記駆動手段を制御する制御部と、
を有するプリントヘッドにおいて、
前記テーブルには、前記発光チップの継ぎ目を含む複数の発光素子のビームプロファイルを求め、該ビームプロファイルのピーク間距離から、前記発光チップの継ぎ目での前記発光素子間の距離を求め、求めた前記発光素子間の距離と、前記プリントヘッドの解像度ピッチとを比較して、求めた前記発光素子間の距離が前記解像度ピッチより長い場合は、前記発光チップの継ぎ目の少なくとも一方の側の発光素子の光量を上げ、前記発光チップ間の距離が解像度ピッチより短い場合は、前記発光チップの継ぎ目の少なくとも一方の側の発光素子の光量を下げる補正値が記録されたことを特徴とするプリントヘッド。
【００４２】
（付記６）  複数の発光素子を一列に並べて形成された発光チップが一列に配設された発光アレイ部と、
前記各発光素子を駆動する駆動手段と、
前記発光素子を駆動する際の補正値が記録されたテーブルと、
該テーブルから前記補正値を取り込んで、前記駆動手段を制御する制御部と、
を有するプリントヘッドにおいて、
前記テーブルには、前記発光チップの継ぎ目を含む複数の発光素子のビームプロファイルを求め、該ビームプロファイルを所定のレベルでスライスし、スライスした面の重心間距離から、前記発光チップの継ぎ目での前記発光素子間の距離を求め、求めた前記発光素子間の距離と、前記プリントヘッドの解像度ピッチとを比較して、求めた前記発光素子間の距離が前記解像度ピッチより長い場合は、前記発光チップの継ぎ目の少なくとも一方の側の発光素子の光量を上げ、前記発光チップ間の距離が解像度ピッチより短い場合は、前記発光チップの継ぎ目の少なくとも一方の側の発光素子の光量を下げる補正値が記録されたことを特徴とするプリントヘッド。
【００４３】
（付記７）  前記補正値は、前記発光素子に流す電流値、前記発光素子の駆動時間のうちの少なくともいずれか一方であることを特徴とする、付記５または６記載のプリントヘッド。
【００４４】
【発明の効果】
以上述べたように請求項１記載の発明によれば、前記発光チップの継ぎ目を含む複数の発光素子のビームプロファイルを用いることにより、発光チップの継ぎ目のピッチで補正を行う場合に比べ、より正確な補正を行うことができる。
【００４５】
又、ビームプロファイルのピーク間距離から、前記発光チップの継ぎ目での前記発光素子間の距離を求め、求めた前記発光素子間の距離と、前記プリントヘッドの解像度ピッチとを比較して、求めた前記発光素子間の距離が前記解像度ピッチより長い場合は、前記発光チップの継ぎ目の少なくとも一方の側の発光素子の光量を上げ、前記発光チップ間の距離が解像度ピッチより短い場合は、前記発光チップの継ぎ目の少なくとも一方の側の発光素子の光量を下げることにより、発光チップの継ぎ目における発光素子に供給する電流を一律に他の発光素子に供給する電流より多くする補正に比べ、発光チップの継ぎ目を含む複数の発光素子の実際のピッチに応じて補正を行うので、より正確な補正を行うことができる。
【００４６】
請求項２記載の発明によれば、前記発光チップの継ぎ目を含む複数の発光素子のビームプロファイルを用いることにより、発光チップの継ぎ目のピッチで補正を行う場合に比べ、より正確な補正を行うことができる。
【００４７】
又、ビームプロファイルを所定のレベルでスライスし、スライスした面の重心間距離から、前記発光チップの継ぎ目での前記発光素子間の距離を求め、求めた前記発光素子間の距離と、前記プリントヘッドの解像度ピッチとを比較して、求めた前記発光素子間の距離が前記解像度ピッチより長い場合は、前記発光チップの継ぎ目の少なくとも一方の側の発光素子の光量を上げ、前記発光チップ間の距離が解像度ピッチより短い場合は、前記発光チップの継ぎ目の少なくとも一方の側の発光素子の光量を下げることにより、発光チップの継ぎ目における発光素子に供給する電流を一律に他の発光素子に供給する電流より多くする補正に比べ、発光チップの継ぎ目を含む複数の発光素子の実際のピッチに応じて補正を行うので、より正確な補正を行うことができる。
【００４８】
請求項３記載の発明によれば、求めた前記発光素子間の距離をｄ２（μｍ）、解像度ピッチをｄ１（μｍ）、光量を上げ下げする発光素子の光量変化分をＰ（％）とすると、ｄ２−ｄ１＝Ｐであることにより、補正分解能を小さくすることができ、印字パターンにかかわらず、白スジ、黒スジが発生しない。
【図面の簡単な説明】
【図１】ＬＥＤプリントヘッドの光量を補正する方法を説明するフロー図である。
【図２】実施の形態例のＬＥＤプリントヘッドの構成図である。
【図３】図２のＬＥＤプリントヘッドの電気的構成を説明するブロック図である。
【図４】図１のステップ１でのビームプロファイルの一例を示す図である。
【図５】ビームプロファイルからＬＥＤチップの継ぎ目でのＬＥＤ素子間の距離を求める他の方法を説明る図である。
【図６】ＬＥＤプリントヘッドの構成図である。
【符号の説明】
１１  ＬＥＤチップ
１３  ＬＥＤ素子
【図１】
2004174785.tif 000003
【図２】
2004174785.tif 000004
【図３】
2004174785.tif 000005
【図４】
2004174785.tif 000006
【図５】
2004174785.tif 000007
【図６】
2004174785.tif 000008